【事件の表示】
　特願２００４−　１９６７０「アニロックスロールの洗浄用シート及び洗浄方法」拒絶査定不服審判事件〔平成１７年　８月１１日出願公開、特開２００５−２１２１８７〕について、次のとおり審決する。
【結　論】
　本件審判の請求は、成り立たない。
【理　由】
１．手続の経緯
　本願は、平成１６年１月２８日に出願したものであって、平成１８年１０月３１日付けで手続補正がなされたが、平成１９年７月２７日付けで拒絶査定がなされ、これに対し、同年８月２９日付けで拒絶査定に対する審判請求がなされたものである。
　当審においてこれを審理した結果、平成２１年１０月１９日付けで拒絶の理由を通知したところ、請求人は同年１１月３０日付けで意見書及び手続補正書を提出し、平成２２年１月１２日付けで拒絶の理由を通知したところ、請求人は同年３月２日付けで意見書を提出した。
　
２．本願発明
　本願の請求項１及び２に係る発明は、平成２１年１１月３０日付け手続補正書で補正された明細書の記載からみて、特許請求の範囲の請求項１〜３に記載された事項により特定されるものであり、その請求項１に係る発明（以下、「本願発明」という。）は、以下のとおりである。
「刷版が巻回された版胴ロールとアニロックスロールを当接させ、両ロールを回転させながら被印刷物に印刷を行う印刷装置におけるアニロックスロールの洗浄用シートであって、版胴ロールに巻回されるシートと、シート上に装着されたブラシ作用を有する不吸液性粗面材及び吸液性粗面材から成ることを特徴とするアニロックスロールの洗浄用シート。」
　
３．引用刊行物
　ａ．平成２２年１月１２日付け当審の拒絶の理由に引用され、本願出願前に頒布された刊行物である特開２００１−８００５６号公報（以下、「刊行物１」という。）には、以下の記載が図示とともにある。
　ア．【０００１】
【発明の属する技術分野】本発明は、印刷機に用いられる洗浄用キャリヤーシート及び洗浄ロールに関する。
　イ．【０００４】また、
フレキソ印刷においては、インキ供給ロール（アニロックスロール）
　ウ．【０００６】さらに、最近の如く印刷若しくは塗加工作業の小ロット多品点化が顕著となると、印刷機又は塗加工機（コーター）の稼働率の低下を防ぐため、出来るかぎり迅速に、かつ、効果的に機上での洗浄を終わることが望まれる。
　エ．【０００８】そこで、本発明は、高額な専用の洗浄装置を設備することなく、被洗浄ロールを、機上で人の手を使うことなく、低価格で効率よくムラなくきれいに洗浄することが出来る洗浄用キャリヤーシートを提供することを目的とする。また、本発明は、版胴又は圧胴と交換して、高額な専用の洗浄装置を設備することなく、被洗浄ロールを、機上で人の手を使うことなく、低価格で効率よくムラなくきれいに洗浄することが出来る洗浄ロールを提供することを目的とする。
　オ．【００１３】図１〜図３は、本発明に係る（印刷機に用いられる）
洗浄用キャリヤーシート
多数の極細繊維体５…をブラシ毛状に表面に有する表面層１と、弾性層２と、を積層してなる洗浄層３を、キャリヤーシート４に部分的乃至全体的に貼付したものである。
　カ．【００２４】そして、この本シート９は、図４に示すように、
キャリヤーシート４
を、印刷機の版胴20
ロール状に巻き付け
ることができ、印刷機上
被洗浄ロール22を洗浄できる
【００２５】具体的に述べると、図６は、フレキソ印刷に於ける場合を示し、図６（イ）に示すように、
インキ
インキ供給ロールを通じて、版胴20に転移され、版胴20から
被印刷物23に転移される
【００２６】そして、このように構成された
フレキソ印刷機のインキ供給ロールを被洗浄ロール22として洗浄する
　
　上記記載及び図面を含む刊行物１全体の記載から、刊行物１には、以下の発明が開示されていると認められる。
「インキが、インキ供給ロールを通じて、版胴20に転移され、版胴20から被印刷物23に転移されるフレキソ印刷機のインキ供給ロールを被洗浄ロール22として洗浄する多数の極細繊維体５…をブラシ毛状に表面に有する表面層１と、弾性層２と、を積層してなる洗浄層３を、キャリヤーシート４に部分的乃至全体的に貼付した洗浄用キャリヤーシートであって、キャリヤーシート４を、印刷機の版胴20にロール状に巻き付け印刷機上で被洗浄ロール22を洗浄できる洗浄用キャリヤーシート。」（以下、「引用発明」という。）
　
　ｂ．平成２２年１月１２日付け当審の拒絶の理由に引用され、本願出願前に頒布された刊行物である特開２００１−２１２９４２号公報（以下、「刊行物２」という。）には、以下の記載が図示とともにある。
　キ．【請求項１】  筒状の芯体と、
この芯体の外面からループ状に突出する複数のループ状ブラシ毛とを具備していることを特徴とするブラシ。
・・・
【請求項６】  芯体の外面から突出する
ループ状ブラシ毛の間に
複数の線状ブラシ毛を具備
　ク．【０００５】また、
線状ブラシ毛では、洗浄液を与えても、洗浄液を保持する保液能力が低く
【０００６】本発明は、このような点に鑑みなされたもので、例えば汚れなどの掻き取り能力が高いとともに、洗浄液を与えた場合には保液能力が高く、汚れなどを効率よく取り除くことができるブラシ、およびこのブラシを用いたブランケット胴洗浄装置を提供することを目的とする。
　ケ．【００３４】このとき、ブラシ11のループ状ブラシ毛14の各ループ部16が芯体12の周方向に臨んでループ状に突出していて、このループ状ブラシ毛14の各ループ部16の先端16bがブランケット胴Ｂに対して線接触するので、各ループ部16でブランケット胴Ｂの汚れを掻き取ることができる。しかも、各
ループ部16には洗浄液が保液されやすく
　
４．対比
　本願発明と引用発明とを比較すると、引用発明の「版胴20」、「インキ供給ロール」、「被印刷物23」、「フレキソ印刷機」、「洗浄用キャリヤーシート」、「ロール状に巻き付け」、「キャリヤーシート４」及び「部分的乃至全体的に貼付」は、それぞれ本願発明の「版胴ロール」、「アニロックスロール」、「被印刷物」、「印刷装置」、「洗浄用シート」、「巻回」、「シート」及び「装着」に相当する。
　引用発明の「フレキソ印刷機」（印刷装置）は、「版胴20」（版胴ロール）に刷版を巻回し、「インキ供給ロール」（アニロックスロール）と当接して、両者を回転させながら「被印刷物23」（被印刷物）に印刷を行うことは、明らかであるから、刷版が巻回された版胴ロールとアニロックスロールを当接させ、両ロールを回転させながら被印刷物に印刷を行うものといえる。
　引用発明の「多数の極細繊維体５…をブラシ毛状に表面に有する表面層１と、弾性層２と、を積層してなる洗浄層３」は、「キャリヤーシート４に部分的乃至全体的に貼付」され、本願発明の「ブラシ作用を有する不吸液性粗面材及び吸液性粗面材」は、「シート上に装着」されているから、両者はいずれも「シート上に装着された面材」の点で共通する。
　よって、本願発明と引用発明は、
「刷版が巻回された版胴ロールとアニロックスロールを当接させ、両ロールを回転させながら被印刷物に印刷を行う印刷装置におけるアニロックスロールの洗浄用シートであって、版胴ロールに巻回されるシートと、シート上に装着された面材から成るアニロックスロールの洗浄用シート。」
の点で一致し、以下の点で相違している。
［相違点］シート上に装着された面材に関し、本願発明は、「ブラシ作用を有する不吸液性粗面材及び吸液性粗面材」と特定されているのに対し、引用発明は、多数の極細繊維体５…をブラシ毛状に表面に有する表面層１と、弾性層２と、を積層してなる洗浄層３である点。
　
５．判断
　上記相違点について検討する。
　本願明細書の段落【００１６】の「本発明で不吸液性とは、完全な不吸液性（吸液性ゼロ）を意味するものではなく、吸液性粗面材２３よりも吸液性を極力小さくし、ブラシ作用（アニロックスロール１１の表面に付着するインキ１３をこすり落とす作用）を確保する性質を有するもののことである。これに対し、吸液性粗面材２３は、不吸液性粗面材２２よりも吸液力が大きく、不吸液性粗面材２２がアニロックスロール１１の表面からこすり落としたインキ１３や洗浄液を十分に吸液できる能力を有するものである。」という記載によると、本願発明の「ブラシ作用を有する不吸液性粗面材及び吸液性粗面材」には、ブラシ作用を有し、吸液性が小さい面材とそれより吸液性が大きい面材からなるものが含まれる。
　刊行物２は、洗浄液を用いて印刷機上で被洗浄対象であるブランケット胴Ｂを筒状の芯体を有するブラシにより洗浄しようとするものであり、掻き取り能力と保液能力を高くするように、保液能力が高いループ状ブラシ毛と保液能力が低い複数の線状ブラシ毛を前記芯体の外面に形成したものである。即ち、最表面の掻き取り能力を有するブラシ毛に保液能力において差を設けたものである。
　刊行物１のカの段落【００２６】に「低揮発性洗浄剤・・・を流入させて、接触回転洗浄を行う」と記載されているように、引用発明の洗浄用キャリヤーシートは、洗浄剤を用いて印刷機上で被洗浄ロール22を洗浄しようとするものであるから、洗浄剤を有効に利用できるように、刊行物２と同様、掻き取り能力と保液能力が要求されるのは明らかである。
　したがって、掻き取り能力と保液能力の両方を高くするべく、引用発明の洗浄用キャリヤーシートの表面層１にブラシ毛状に設けられた掻き取り能力を有する多数の極細繊維体５の保液能力に刊行物２に記載されたのと同様に差を設け、上記相違点のような構成とすることは当業者が容易になし得る程度のことである。
　
　以上のように、本願発明の相違点のような構成とすることは、引用発明及び刊行物２記載の事項に基づいて当業者が容易に想到できたことであり、かかる発明特定事項を採用することによる本願発明の効果も当業者が予測できる範囲のものである。
　
６．むすび
　以上のとおり、本願発明は、引用発明及び刊行物２記載の事項に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。